(57)【要約】【課題】撮影者の手の位置による太陽電池の受光状態の変動がなく、しかもデザインの自由度を高めることができるレンズ鏡筒、カメラ及びカメラシステムを提供する。【解決手段】太陽電池（ａ，ｂ，ｃ，ｄ）を、レンズ鏡筒本体（摺動筒７，８及び後部保護環１０）に入射した光を受光するように、レンズ鏡筒本体（摺動筒７，８及び後部保護環１０）の内面に配置した。【選択図】図１
2009288647.tif 000002
【特許請求の範囲】
【請求項１】
太陽電池を、レンズ鏡筒本体に入射した光を受光するように、前記レンズ鏡筒本体の内面に配置したことを特徴とするレンズ鏡筒。
【請求項２】
前記太陽電池は前記レンズ鏡筒本体内に設けられた部材の前記入射光が通過する光路に対向する面に配置されていることを特徴とする請求項１記載のレンズ鏡筒。
【請求項３】
前記部材は、レンズ群を保持するレンズ保持部材であることを特徴とする請求項２記載のレンズ鏡筒。
【請求項４】
前記太陽電池は、前記部材の中心軸に直交する垂直面に沿った環状又は前記部材の内周面に沿った管状に配置されることを特徴とする請求項２〜３のいずれか１項記載のレンズ鏡筒。
【請求項５】
前記太陽電池は、複数であり、前記レンズ群の位置により前記太陽電池の一部の受光が妨げられても他の太陽電池が受光するような複数の位置に配置されていることを特徴とする請求項１〜４のいずれか１項記載のレンズ鏡筒。
【請求項６】
前記太陽電池はフレキシブルなフィルム状太陽電池であることを特徴とする請求項１〜５のいずれか１項記載のレンズ鏡筒。
【請求項７】
前記太陽電池の表面は低反射構造になっていることを特徴とする請求項１〜６のいずれか１項記載のレンズ鏡筒。
【請求項８】
前記太陽電池は前記レンズ鏡筒本体内の蓄電池に接続されていることを特徴とする請求項１〜７のいずれか１項記載のレンズ鏡筒。
【請求項９】
請求項１〜８のいずれか１項記載のレンズ鏡筒を備えていることを特徴とするカメラ。
【請求項１０】
請求項９記載のカメラ内の蓄電池に前記太陽電池が接続されていることを特徴とするカメラシステム。
【発明の詳細な説明】
【技術分野】
【０００１】
この発明はレンズ鏡筒、カメラ及びカメラシステムに関する。
【背景技術】
【０００２】
従来、カメラに電力を供給するために、例えば太陽光を利用して発電を行う太陽電池をカメラボディの上面やレンズ鏡筒の外周面に取り付けたものが知られている（下記公報参照）。
【特許文献１】特開平７−２７０８５４号公報
【発明の開示】
【発明が解決しようとする課題】
【０００３】
太陽電池で十分な電力を得るためには、撮影者がカメラを構えたとき、撮影者の手によって太陽光が遮られない場所に太陽電池を取り付ける必要がある。また、太陽電池を取り付ける場所は太陽光が遮られないだけでなく、カメラのデザイン性を損なわない場所であることも求められる。
【０００４】
この発明の課題は撮影者の手の位置による太陽電池の受光状態の変動がなく、しかもデザインの自由度を高めることができるレンズ鏡筒、カメラ及びカメラシステムを提供することである。
【課題を解決するための手段】
【０００５】
上記課題を解決するため請求項１記載の発明は、太陽電池を、レンズ鏡筒本体に入射した光を受光するように、前記レンズ鏡筒本体の内面に配置したことを特徴とする。
【０００６】
請求項２記載の発明は、請求項１記載のレンズ鏡筒において、前記太陽電池は前記レンズ鏡筒本体内に設けられた部材の前記入射光が通過する光路に対向する面に配置されていることを特徴とする。
【０００７】
請求項３記載の発明は、請求項２記載のレンズ鏡筒において、前記部材は、レンズ群を保持するレンズ保持部材であることを特徴とする。
【０００８】
請求項４記載の発明は、請求項２〜３のいずれか１項記載のレンズ鏡筒において、前記太陽電池は、前記部材の中心軸に直交する垂直面に沿った環状又は前記部材の内周面に沿った管状に配置されることを特徴とする。
【０００９】
請求項５記載の発明は、請求項１〜４のいずれか１項記載のレンズ鏡筒において、前記太陽電池は、複数であり、前記レンズ群の位置により前記太陽電池の一部の受光が妨げられても他の太陽電池が受光するような複数の位置に配置されていることを特徴とする。
【００１０】
請求項６記載の発明は、請求項１〜５のいずれか１項記載のレンズ鏡筒において、前記太陽電池はフレキシブルなフィルム状太陽電池であることを特徴とする。
【００１１】
請求項７記載の発明は、請求項１〜６のいずれか１項記載のレンズ鏡筒において、前記太陽電池の表面は低反射構造になっていることを特徴とする。
【００１２】
請求項８記載の発明は、請求項１〜７のいずれか１項記載のレンズ鏡筒において、前記太陽電池は前記レンズ鏡筒本体内の蓄電池に接続されていることを特徴とする。
【００１３】
請求項９記載の発明は、請求項１〜８のいずれか１項記載のレンズ鏡筒を備えていることを特徴とするカメラである。
【００１４】
請求項１０記載の発明は、請求項９記載のカメラ内の蓄電池に前記太陽電池が接続されていることを特徴とするカメラシステムである。
【発明の効果】
【００１５】
この発明によれば、撮影者の手の位置による太陽電池の受光状態の変動がなく、しかもデザインの自由度を高めることができる。
【発明を実施するための最良の形態】
【００１６】
以下、この発明の実施の形態を図面に基づいて説明する。
【００１７】
図１はこの発明の一実施形態に係るレンズ鏡筒の断面を示す概念図である。
【００１８】
レンズ鏡筒１００は、一眼レフカメラ、デジタルスチルカメラ等のカメラボディ（カメラ）５０側のマウントに装着するためのバヨネットマウント９と、バヨネットマウント９に連結された円筒形状の固定筒２１と、フォーカシング環１１及びズーミング環１２を保持した固定環１３と、レンズ群Ｌ１を保持する第１レンズ群保持部材（レンズ保持部材）１と、レンズ群Ｌ２を保持する第２レンズ群保持部材（レンズ保持部材）２と、レンズ群Ｌ３を保持する第３レンズ群保持部材（レンズ保持部材）３と、レンズ群Ｌ４を保持する第４レンズ群保持部材（レンズ保持部材）４と、第１レンズ群保持部材１を光軸Ｏ方向に移動させるための摺動筒（部材）５と、第２レンズ群保持部材２を光軸Ｏ方向に移動させるための摺動筒（部材）６と、第３レンズ群保持部材３を光軸Ｏ方向に移動させるための摺動筒（部材）７と、第４レンズ群保持部材４を光軸Ｏ方向に移動させるための摺動筒（部材）８と、太陽電池ａ，ｂ，ｃ，ｄとを備えている。第４レンズ群保持部材４は摺動筒８にねじ４ａによって取り付けられている。
【００１９】
バヨネットマウント９には第４レンズ群Ｌ４を保護するための後部保護環１０が取り付けられている。なお、レンズ鏡筒１００の後端部にはカメラボディ５０との間で信号、電力の授受を行うためのマウント接点（図示せず）が設けられている。
【００２０】
フォーカシング環１１はカメラボディ５０の図示しない結像面に被写体の像を結ぶ焦点調節をするときに操作される部材である。
【００２１】
ズーミング環１２は焦点距離を連続的に変えて撮影するときに操作される部材である。
【００２２】
フォーカシング環１１とズーミング環１２との間から露出するスライドスイッチ１４が固定環１３に設けられている。スライドスイッチ１４はフォーカシング領域を切り換えるときに操作される部材である。
【００２３】
固定環１３と固定筒２１との間にはレンズ鏡筒１００の防滴を目的として（レンズ鏡筒１００内に水が浸入しないように）Ｏリング１５が設けられている。また、スライドスイッチ１４の固定環１３との接触部にも防滴を目的として撥水性を有する防滴剤（オイルバリア）が塗布されている。
【００２４】
フォーカシング環１１の内周面には板部材３１が固定されており、この板部材３１には筒部材３２に固定された係合ピン３１−１が係合する長溝３１−２が形成されている。筒部材３２の長溝３２−２及びカム筒３３のカム溝３３−１にはそれぞれ摺動筒６に固定された係合ピン３２−１が係合している。摺動筒８には係合ピン３２−１との干渉を防止するためニゲ溝８−３が設けられている。摺動筒８の外周面にカム筒３３が摺動可能に接触している。
【００２５】
また、カム筒３３には、摺動筒７に固定された係合ピン３３−２が摺動筒８の溝８−４を介して係合するカム溝３３−３と、摺動筒８に固定された係合ピン８−１が係合するカム溝３３−５とが形成されている。
【００２６】
更に、カム筒３３にはズーミング環１２に設けられた連動部材１２−１が係合する溝３３−４が設けられている。
【００２７】
なお、摺動筒７，８及び後部保護環１０等でレンズ鏡筒本体が構成される。
【００２８】
太陽電池ａ，ｂ，ｃ，ｄはそれぞれフレキシブルなフィルム状太陽電池であり、リード線又はフレキシブル基板（図示せず）を介してレンズ鏡筒１００内に収納された蓄電池（図示せず）に電気的に接続される。太陽電池ａ，ｂ，ｃ，ｄで発生した電力はレンズ鏡筒１００内の蓄電池に蓄えられ、レンズ内のモータ（図示せず）を駆動するための電力の補助に使用される。
【００２９】
マニュアルフォーカシング時、撮影者がフォーカシング環１１を回転させると、その回転は板部材３１、係合ピン３１−１、筒部材３２、係合ピン３２−１に伝達される。係合ピン３２−１はカム筒３３のカム溝３３−１に係合しているから、摺動筒６を介してレンズ群Ｌ２が光軸Ｏに沿って前後方向へ移動する。
【００３０】
一方、ズーミング時、撮影者がズーミング環１２を回転させると、その回転が連動部材１２−１、カム筒３３に伝達される。カム溝３３−１，３３−３，３３−５にそれぞれの係合ピン３２−１，３３−２，８−１が係合しているから、レンズ群Ｌ２〜４が光軸Ｏに沿って前後方向へ移動する。
【００３１】
太陽電池ａ，ｂ，ｃ，ｄは後述のようにレンズ鏡筒１００内に設けられたレンズ群保持部材１〜４の入射光が通過する光路に対向する面に配置されている。
【００３２】
太陽電池ａは摺動筒７の中心軸に直交する垂直面に沿って環状に配置されている。
【００３３】
太陽電池ｂは摺動筒８の中心軸に直交する垂直面に沿って環状に配置されている。
【００３４】
太陽電池ｃは後部保護環１０の中心軸に直交する垂直面に沿って環状に配置されている。なお、太陽電池ｃは図１に示す広角端では前方（図１の左方）から入射する光を受光できないが、ズーミングして望遠領域にするとレンズ群Ｌ２〜Ｌ４が前方へ移動し、前方から入射する光を受光できるようになる。
【００３５】
太陽電池ｄは摺動筒７の内周面に沿って管状に配置されている。
【００３６】
上記のように太陽電池ａ，ｂ，ｃ，ｄをレンズ鏡筒１００内に配置したため、例えばレンズ群Ｌ２等の光軸方向の位置が変わり、太陽電池ａ，ｂ，ｃ，ｄの一部で光の入射が妨げられたときであっても、太陽電池ａ，ｂ，ｃ，ｄのうちのいずれかの太陽電池で入射光を受光することができる。
【００３７】
この実施形態によれば、太陽電池ａ，ｂ，ｃ，ｄをレンズ鏡筒本体の内面に配置したので、撮影者の手の位置による太陽電池の受光状態の変動がないとともに、カメラのデザインの自由度を高めることができる。
【００３８】
また、太陽電池ａ，ｂ，ｃ，ｄが防滴処置の施されたレンズ鏡筒１００内に設置されているので、従来のカメラボディの上面やレンズ鏡筒の外周面に設置した場合のように、電池周辺に特別の防滴処置を施す必要がなく、汚れに起因する太陽電池ａ，ｂ，ｃ，ｄの変換効率の低下を低減することができる。
【００３９】
更に、太陽電池ａ，ｂ，ｃ，ｄはそれぞれフレキシブルなフィルム状太陽電池であるので、摺動筒７，８の中心軸に直交する垂直面や摺動筒７の内周面に平行な筒状面等に容易に設けることができる。
【００４０】
さらに、太陽電池の表面を２層反射防止膜構造にすることにより表面への入射光が反射等で外部に逃げずに薄膜Ｓｉ結晶内でほとんど吸収される、いわゆる光閉じ込め型の太陽電池を用いても良い。これを使用すれば、入射光を効率的に吸収することができるだけでなく、太陽電池表面で反射した光がカメラボディ５０内の撮像手段に達してゴーストやフレアの原因になることがない。
【００４１】
また、本実施例では、太陽電池ａ，ｂ，ｃ，ｄをレンズ鏡筒１００内の蓄電池と電気的に接続したが、リード線又はフレキシブル基板を介してマウント接点に接続し、さらにマウント接点を介してカメラボディ５０内の蓄電池と電気的に接続すれば、太陽電池ａ，ｂ，ｃ，ｄで発生した電力をカメラボディ５０内の蓄電池に蓄え、カメラボディ５０の表示やモータを駆動する一次電池の電力の不足を補うこともできる。
【００４２】
なお、太陽電池ａ，ｂ，ｃ，ｄを配置する場所は摺動筒７，８の中心軸に直交する垂直面、摺動筒７の内周面等に限られるものではなく、前方からの入射光を受光できる場所であれば例えば第１レンズ群保持部材１の内面であってもよい。
【図面の簡単な説明】
【００４３】
【図１】図１はこの発明の一実施形態に係るレンズ鏡筒の断面を示す概念図である。
【符号の説明】
【００４４】
１：第１レンズ群保持部材（レンズ保持部材）、２：第２レンズ群保持部材（レンズ保持部材）、３：第３レンズ群保持部材（レンズ保持部材）、４：第４レンズ群保持部材（レンズ保持部材）、６，７，８：摺動筒（部材）、１０：後部保護環、５０：カメラボディ（カメラ）、１００：レンズ鏡筒、ａ，ｂ，ｃ，ｄ：太陽電池、Ｌ１，Ｌ２，Ｌ３，Ｌ４：レンズ群。
【図１】
2009288647.tif 000003